(57)【特許請求の範囲】
【請求項１】
無線通信機能と音楽の録音／再生機能を有する携帯無線通信端末において、
前記音楽の録音／再生機能が選択されたか否かを判定する手段と、
前記音楽の録音／再生機能が選択された場合、前記無線通信機能を停止するかどうかを判断する手段と、
前記判断結果をもとに、前記無線通信機能に係る動作を有効にしたり、あるいは停止する制御手段と、
前記無線通信機能に係る動作のみが有効な場合、無線通信のための送信電力を予め定められた規定値に設定し、前記音楽の録音／再生機能が選択され、かつ、前記無線通信機能を有効とする判断がなされた場合、前記音楽の録音／再生機能の動作時に無線通信のための送信電力を前記規定値から所定値を引き下げる電力制御手段とを備える携帯無線通信端末。
【請求項２】
無線通信機能と音楽の録音／再生機能を有する携帯無線通信端末における制御方法であって、
前記音楽の録音／再生機能が選択されたか否かを判定するステップと、
前記音楽の録音／再生機能が選択された場合、前記無線通信機能を停止するかどうかを判断するステップと、
前記判断結果をもとに、前記無線通信機能に係る動作を有効にしたり、あるいは停止する制御を行うステップと、
前記無線通信機能に係る動作のみが有効な場合、無線通信のための送信電力を予め定められた規定値に設定する制御を行い、前記音楽の録音／再生機能が選択され、かつ、前記無線通信機能に係る動作を有効にする判断がなされた場合、前記音楽の録音／再生機能の動作時に、無線通信のための送信電力を前記規定値から所定値を引き下げる制御を行うステップと
を備える制御方法。
【発明の詳細な説明】
【０００１】
【発明の属する技術分野】
本発明は、無線通信機能に加えて音楽の録音／再生機能を有する携帯無線通信端末および制御方法に関するものである。
【０００２】
【従来の技術】
携帯電話機に代表される携帯無線通信端末が、業務用のみならず、個人的にも広く利用されるようになってきており、それにより、音声通話はもちろん、データ通信などの様々なサービスを受けることができる。また、通信技術の発達により、地域別、通信事業者別、サービス別など、様々な種類の無線通信システムが同時に稼動しており、端末が所定レベルの電波を発することで、相手端末との通信や複数の無線システムを利用できるようになっている。
【０００３】
端末から発せられる電波レベルについて言えば、例えば、汎欧州ディジタルセルラ電話システム（ＧＳＭ）の携帯電話機などでは、送信電力のピークは約２ワットである。
【０００４】
また、近年、携帯電話機に音楽情報の録音・再生機能を付加した録音・再生機能付き携帯電話も、商品として市場に登場してきている。この種の電話機は、いわば音響機器としての機能と携帯電話としての機能が１つにまとめられた商品である。
【０００５】
【発明が解決しようとする課題】
しかしながら、これらの携帯電話機では、通話中、あるいは位置登録の更新時など、その携帯電話機がアンテナから電波を送信しているときに、電話機付近に音響機器を置いておくと、送信電波が音響機器に電磁的に結合し、それがノイズ（ＴＤＭＡノイズ）となって、その機器のスピーカやイヤホンマイクから聞こえてくるという問題がある。
【０００６】
また、上記の録音・再生機能付き携帯電話において、音楽情報を録音、あるいは再生しているときに着信があると、それが音響機器としての動作だけでなく、携帯電話機として動作を始めるために、アンテナからの送信パワーが音響機器に悪影響を与える。
【０００７】
さらには、上記のような影響だけでなく、送信時における電力出力が約２ワットであることから、電話機内部の電源電圧が変動し、音響機器の電源をも揺らすことになる。そして、この電源変動によるノイズが、機器のスピーカやイヤホンマイクから聞こえるという問題がある。
【０００８】
本発明は、上述の課題に鑑みてなされたもので、その目的とするところは、音楽の録音／再生機能を有する携帯無線通信端末において、無線通信機能が動作することによる録音／再生動作へのノイズ妨害を回避する携帯無線通信端末および制御方法を提供することである。
【０００９】
本発明の他の目的は、録音／再生時に送信動作が開始され、端末の電源電圧が変動して、音響機器としての端末内の電源を揺らすのを防止する携帯無線通信端末および制御方法を提供することである。
【００１０】
【課題を解決するための手段】
上記の目的を達成するため、本発明は、無線通信機能と音楽の録音／再生機能を有する携帯無線通信端末において、音楽の録音／再生機能が選択されたか否かを判定する手段と、音楽の録音／再生機能が選択された場合、無線通信機能を停止するかどうかを判断する手段と、判断結果をもとに、無線通信機能に係る動作を有効にしたり、あるいは停止する制御手段と、前記無線通信機能に係る動作のみが有効な場合、無線通信のための送信電力を予め定められた規定値に設定し、前記音楽の録音／再生機能が選択され、かつ、前記無線通信機能を有効とする判断がなされた場合、前記音楽の録音／再生機能の動作時に無線通信のための送信電力を前記規定値から所定値を引き下げる電力制御手段とを備える携帯無線通信端末を提供する。
【００１４】
【作用】
本発明に係る携帯無線通信端末では、音楽の録音／再生機能が選択された場合、無線通信機能を停止するかどうかを判断し、制御手段は、その判断結果をもとに、無線通信機能を有効にしたり、あるいは停止するので、録音／再生動作時に無線通信機能が動作すること、および電源電圧が変動することによる録音／再生機能へのノイズ妨害を回避するよう機能する。
【００１５】
他の発明に係る制御方法は、音楽の録音／再生機能が選択された場合、無線通信機能を停止するかどうかを判断し、制御ステップにおいて、この判断結果をもとに、無線通信機能を有効にしたり、あるいは停止するので、録音／再生動作時に無線通信機能が動作したり、その動作によって端末内の電源電圧が変動することによるノイズ妨害を回避するよう機能する。
【００１６】
【発明の実施の形態】
以下、添付図面を参照して、本発明の実施の形態を詳細に説明する。図１は、携帯端末と網（ネットワーク）の一般的概念を現したディジタル・セルラ・システムの構成を示している。同図において、例えば、携帯電話機Ａ（１０３）から携帯電話機Ｂ（１０４）へ発呼する場合、端末使用者は、相手の電話番号を携帯電話機Ａ（１０３）に入力して、ダイヤル発信を行う。なお、この発信動作は、携帯電話機Ａ（１０３）が有する内部のソフトウエアで自動的に行うことも可能である。
【００１７】
携帯電話機Ａ（１０３）は、空間媒体（Air Interface）Ａ（１０５）を通じて、携帯電話基地局Ａ（１０１）に接続を行う。この携帯電話基地局Ａ（１０１）は、ディジタル・インタフェース１０６（通常は、ＩＤＳＮなど）を介して携帯電話基地局Ｂ（１０２）に接続され、携帯電話機Ｂ（１０４）は、Air InterfaceＢ（１０７）で、この携帯電話基地局Ｂ（１０２）に位置登録されている。よって、最終的に携帯電話機Ａ（１０３）は、携帯電話機Ｂ（１０４）と回線が接続され、相互に通話が可能となる。
【００１８】
一方、携帯電話基地局Ａ（１０１）と携帯電話基地局Ｂ（１０２）を接続するディジタル・インタフェース１０６にＰＳＴＮ（公衆電話回線）局１０８が接続されており、このＰＳＴＮ局１０８に有線電話機（不図示）が接続されることによって、有線電話機と、携帯電話機Ａ（１０３）または携帯電話機Ｂ（１０４）とが接続される。
【００１９】
インターネット（Internet）のサービス・プロバイダ１０９は、ディジタル・インタフェース１１０を介して、携帯電話基地局Ａ（１０１）に接続されており、携帯電話機Ａ（１０３）は、携帯電話基地局Ａ（１０１）を経由して、契約内容に従ってサービスを享受できる。このサービスには、例えば、データの更新をするためにダウンロードするとか、その他の情報の提供などがある。
【００２０】
次に、ディジタル・セルラ携帯電話機の構成を説明する。図２は、本実施の形態に係る携帯電話機の構成を示すブロック図である。同図において、アンテナ２０１で受信された信号は、アンテナスイッチ２０２によって受信ＲＦ部２３１へ導かれる。受信ＲＦ部２３１は、受信のタイミングに合わせて、コントロール・ステート・マシーン２１０によりオン／オフ制御される。また、受信アンプ部２０３では、受信信号が適正なレベルになるよう、必要な帯域制限をしたり、自動利得制御（ＡＧＣ）などの処理が施される。
【００２１】
所望の受信周波数を一定の周波数に変換するため、周波数制御された局発部２１１からの信号２１１ａと受信ＲＦ部２３１内の受信アンプ部２０３からの出力をミキサー２０４で混合して、周波数変換する。
【００２２】
ミキサー２０４からの出力は、受信ＩＦ部２０５へ入力され、自動利得制御されて、受信ベースバンド信号ＲＸ ＩＱに変換される。この信号は、ＲＸ ＡＤＣ２０６で、アナログ／ディジタル（Ａ／Ｄ）変換されて、一定のビットレートを持つＩＱディジタル・データとなる。
【００２３】
このＩＱディジタル・データは、ディジタル信号処理部（ＤＳＰ）２２７において、フェージングなどの影響除去や、受信した信号の種類判別、デ・インタリーブ（de-interleave）、誤り訂正を行い、適切な復号がなされた後、音声データと通信データに分離される。
【００２４】
通常、音声データは圧縮され、受信したバースト毎のブロックで送られてくるため、それをＤＳＰ２２７で伸張し、デコードしてから、オーディオＤＡＣ２０７で、音声のサンプリング・レートに従って、ディジタル／アナログ（Ｄ／Ａ）変換される。このようにＤ／Ａ変換されたアナログ信号は、スピーカアンプ２０８で電力増幅され、スピーカ２０９より放音される。
【００２５】
一方、ＤＳＰ２２７で分離された通信データは、最終的な元のデータに戻され、受信データとして、ＣＰＵバス２２５を経由し、入出力部（Ｉ／Ｏ）２２０からデータ・インタフェース（Ｉ／Ｆ）２２０ｃを介して、外部装置に送られる。
【００２６】
これに対して送信側では、端末使用者などの音声が、マイク２１８を通じてアナログ音声信号に変えられる。マイク２１８からの出力は、信号レベルが小さいので、マイクアンプ２１７によって必要な電圧まで増幅される。このように増幅された音声信号は、オーディオＡＤＣ２１６において、適当なサンプリング・レートでＡ／Ｄ変換され、ディジタル化される。そして、ディジタル化された信号は、ＤＳＰ２２７でエンコード、圧縮した後、ＲＦにおけるバースト信号に合ったブロックにまとめられる。
【００２７】
Ｉ／Ｏ２２０のデータＩ／Ｆ２２０ｃから入力されたディジタル・データは、ＤＳＰ２２７において、適当なブロックにまとめられる。また、音声符号化データと通信データもＤＳＰ２２７でまとめられ、一定のデータレートを持つＩＱディジタル・データにされる。
【００２８】
このようにまとめられた信号は、ＴＸ ＤＡＣ２１５においてＤ／Ａ変換され、アナログ変調信号に変換された後、送信ベースバンド信号ＴＸ ＩＱになる。送信ＲＦ部２３０も、受信ＲＦ部２３１と同様、送信バーストのタイミングに合わせて、コントロール・ステート・マシーン２１０によりオン／オフ制御される。
【００２９】
送信ベースバンド信号ＴＸ ＩＱは、送信バーストに同期して送出され、ＱＰＳＫ変調部２１４において、ＩＦ変調信号に変換された後、所望の送信周波数に変換するため、オフセット・シンセサイザ部２１３で、局発部２１１から変換用の信号と混合される。そして、所望の周波数に変換された信号は、必要な送信電力を持つようにするため、送信アンプ部２１２において電力増幅される。
【００３０】
送信電力のデータ（ランプデータ）は、書き換え可能型メモリであるフラッシュＲＯＭ２２１に格納されている。そこで、ＤＳＰ２２７は、所望のランプデータをフラッシュＲＯＭ２２１から読み取り、送信バーストのタイミングに合わせて、ＡＰＣ ＤＡＣ２１９が、そのデータをＤ／Ａ変換する。
【００３１】
ＡＰＣ ＤＡＣ２１９の出力電圧Ｖｔｘｐ（２１９ａ）は、ＡＰＣ２２９において、送信電力の検波出力電圧２１２ａと比較される。この比較結果を示す、ＡＰＣ２２９からの出力電圧Ｖａｐｃ（２２９ａ）が、送信アンプ部２１２に入力され、送信電力が制御される。このように、送信アンプ部２１２によって電力制御された信号は、アンテナスイッチ２０２を経由して、アンテナ２０１から放射される。
【００３２】
ＣＰＵバス２２５には、中央処理装置（ＣＰＵ）２２４やメモリなどが接続されており、ＣＰＵ２２４が実行するプログラムや表示用のフォントなどのデータは、例えば、不図示の読出し専用メモリ（ＲＯＭ）に記憶されている。また、随時書込み読出しメモリ（ＲＡＭ）２２２は、ＣＰＵ２２４がプログラムを実行中に、必要に応じて計算途中のデータなどを記憶したり、受信部と送信部間でデータ移動する際、一旦、そのデータを記憶させたりするような場合に利用される。
【００３３】
計時用のリアルタイム・クロック（ＲＴＣ）２２６は、年月日および時刻データを提供する部分で、例えば、タイム・スタンプ、携帯電話機の時計表示、アラームなどに利用される。なお、電気的消去可能なメモリであるＥＥＰＲＯＭ（不図示）を設けて、携帯電話機の電源が切られても、例えば、その直前の設定条件などを記憶しておき、次の電源オン時に、以前と同じ設定となるように、それらの設定パラメータを記憶しておくようにしてもよい。
【００３４】
外部装置とのインタフェースであるＩ／Ｏ２２０は、ここでは、ディスプレイ２２０ａ、キーボード２２０ｂ、データＩ／Ｆ２２０ｃなどの接続を仲介している。また、外部記憶Ｉ／Ｆ２２０ｄは、例えば、メモリ・スティック(Memory Stick)からのデータを電話機本体で利用する場合や、図１のサービス・プロバイダ１０９からデータをダウンロードする場合、これらのデータを記憶したりする目的で使用されるインタフェースである。
【００３５】
本実施の形態に係る携帯電話機は、上述したメモリ・スティックのような、可搬性があり、脱着可能な外部記憶装置、あるいは、内蔵されたメモリ（例えば、書換え可能なフラッシュＲＯＭ２２１）などを媒体にした、音楽情報の録音や再生を行なう機能を有する。
【００３６】
以下、フローチャートを参照して、本実施の形態に係る携帯電話機における送信部、受信部などにおける処理について説明する。図３は、本実施の形態に係る携帯電話機における処理手順を示すフローチャートである。同図に示す手順では、最初に、着脱可能な記憶メディア（例えば、メモリ・スティック）や、内蔵メモリ（例えば、フラッシュＲＯＭ２２１）などを用いた、音楽情報の録音や再生をするか否かの判断を行う（ステップＳ４０１）。これは、ユーザによる選択（例えば、キー操作）を、ＣＰＵ２２４が判断して行う。
【００３７】
音楽情報の録音や再生を実行しないと判断された場合は、通常の携帯電話機としての機能が、そのまま継続され、何も行わずに本処理を終える。しかし、音楽情報の録音や再生を行うとの選択がなされた場合には、ステップＳ４０２において、受信ＲＦ部２３１における受信動作を停止するか否かの判断を行う。
【００３８】
なお、この判断は、本処理が行われる度に、ユーザに選択させるようにする方法と、フラッシュＲＯＭ２２１上に選択情報を保存しておき、それをもとに判断する方法がある。
【００３９】
ステップＳ４０２で、受信ＲＦ部２３１の動作を停止させると判断された場合には、ステップＳ４０３において、コントロール・ステート・マシーン２１０からの出力であるＲＸ ＯＮ（２１０ａ），ＴＸ ＯＮ（２１０ｂ）を強制的にオフにして、ＲＦ部全ての動作を停止する。
【００４０】
その後、ステップＳ４０８で、本携帯電話機が、携帯電話として機能していないことを不図示の表示部上に表示し、続くステップＳ４１１において、音楽情報の録音／再生を行う。そして、録音／再生が終わったならば、ステップＳ４１２へ進んで、ＲＦ部に対して行っていた強制的なオフ制御を解除し、本処理を終える。
【００４１】
しかし、ステップＳ４０２で、受信ＲＦ部２３１の動作を停止しないという選択がなされた場合は、ステップＳ４０４において、受信ＲＦ部２３１の動作停止時と同様、ユーザからの入力やメモリ上の情報をもとに、送信ＲＦ部２３０の動作を停止するかどうかを判断する。
【００４２】
ステップＳ４０４で、送信ＲＦ部２３０の動作を停止する選択がなされた場合、受信部のみが動作することになり、その受信部で、基地局からの送信電波を受信し続ける（ステップＳ４０５）。そのため、ＲＸ ＯＮ（２１０ａ）は、受信タイミングに合わせて、通常の動作と同様にオン／オフする。そして、受信可能である限り、常に基地局に同期をとるように制御する（ステップＳ４０６）。
【００４３】
次のステップＳ４０７では、送信部の動作停止の選択に合わせて、ＴＸ ＯＮ（２１０ｂ）を強制的にオフする。従って、基地局からの送信要求（位置更新）や、携帯電話機側からユーザが発信しようとしても、送信することができない。つまり、この場合、携帯電話機としての機能は失われていることになる。
【００４４】
そこで、ステップＳ４０８で、本携帯電話機が、携帯電話として機能していないことを表示し、続くステップＳ４１１において、音楽情報の録音／再生を行う。そして、録音／再生の終了後、ステップＳ４１２で、通常の携帯電話として機能するため、ＲＦ部に対して行っていた強制的なオフを解除し、本処理を終える。
【００４５】
一方、ステップＳ４０４で、送信ＲＦ部２３０の動作を停止しない選択がされた場合、ユーザは、音楽情報の録音／再生を希望するとともに、携帯電話機の受信部、送信部ともに動作する、電話機機能をも動作させることを望んでいることになる。このような場合、送信電力が音響機器としての電話機へ影響を与える可能性がある。逆に言えば、送信電力が音響機器へ与える影響を、携帯電話機側で軽減する必要が生じる。
【００４６】
例えば、ＧＳＭの場合、所望の送信電力は、基地局によって、各々の携帯電話端末に対して決められる。また、その送信電力の許容偏差は、ＧＳＭ勧告に規定されている。そこで、ステップＳ４０９において、携帯電話機の送信パワーレベル（ＰＬ）が、音響機器に影響を与えないパワーレベル（Ａ）よりも小さいかどうかを判定する。
【００４７】
携帯電話機が、上記のパワーレベル（Ａ）よりも大きい送信パワーレベル（ＰＬ）で送信電力を出力する場合（ステップＳ４０９で「いいえ」）、処理をステップＳ４１０へ進めて、送信電力を制御している信号Ｖｔｘｐ（２１９ａ）を、一定値、下げる。この処理は、図２に示すＣＰＵ２２４、あるいはＤＳＰ２２７が行う。
【００４８】
送信する必要がある場合、上記の処理に係るデータをＡＰＣ ＤＡＣ２１９のレジスタ（不図示）に格納する。そして、音楽情報の録音／再生中（ステップＳ４１１）に送信要求があれば、このレジスタ内に格納されているデータをもとに、通常の動作時よりも低い電力で送信する。
【００４９】
図４は、パワーランプ・タイミングを示す図である。上述したように、Ｖｔｘｐ信号（２１９ａ）は、携帯電話機の送信電力が所望の電力となるように調整するための信号である。このＶｔｘｐ信号は、図４に示すように、送信バースト（ＴＸバースト）のデータ開始前から徐々にレベルが大きくなる信号である（ランプアップ）。このように、信号レベルを徐々に大きくするのは、送信電力が急に立ち上がることにより、周波数スペクトルが広がるのを防ぐためである。
【００５０】
携帯電話機の送信電力が所望の電力に達する制御電圧までＶｔｘｐの値が上昇し（図４のＲＡＭＰＬＶＬ）、送信バーストが開示されると、Ｖｔｘｐの値は、一定値をとる。そして、送信バーストが終了し、送信電力を下げる際にも、電力の立ち上げ時と同様、Ｖｔｘｐの値を小さくして（ランプダウン）、徐々に電力を下げる制御を行う。
【００５１】
上述のように、図３のステップＳ４１０において、送信電力制御信号であるＶｔｘｐを一定値、下げる処理を行っているが、この場合、‘ＲＡＭＰＬＶＬ’を一定値、下げるだけでなく、ランプアップのデータ（ｒａｍｐＵＰ［０］〜［１５］）、およびランプダウンのデータ（ｒａｍｐＤＮ［０］〜［１５］）も同様に、一定値、下げる必要がある。このようにしなければ、ランプ波形に不連続点ができるからである。
【００５２】
従って、Ｖｔｘｐを一定値、下げる処理においては、‘ＲＡＭＰＬＶＬ’をＧＳＭの出力電力規格の下限まで下げ、上記のｒａｍｐＵＰ［０］〜［１５］，ｒａｍｐＤＮ［０］〜［１５］についても、‘ＲＡＭＰＬＶＬ’に合わせて下げるという処理を行う。
【００５３】
なお、図４に示すパワーランプ・タイミングにおいて、シンボル長は４８／１３μｓ、ｎは、１４７ノーマル・バースト、８７アクセス・バーストである。
【００５４】
以上説明したように、本実施の形態によれば、携帯電話機で音楽情報の録音／再生を行うときには、送信部、受信部の動作を停止させて、電話機としての機能を中止することで、電話機からの発信電波（送信パワー）の影響や電源電圧の変動によって音楽の録音／再生時にノイズが回り込むのを防止し、携帯電話機が音響機器としての性能を十分に発揮できる。
【００５５】
さらには、音楽情報の録音／再生時に、受信機能は生かしておくが送信機能を停止させて、電話機としての機能を果たせないが、常に基地局に同期している状態を維持することで、電話機本来の機能を有効にする際、素早く立ち上がることができ、即座に位置登録などに対処できる。
【００５６】
【発明の効果】
以上説明したように、本発明に係る携帯無線通信端末によれば、音楽の録音／再生機能が選択されたか否かを判定する手段と、上記音楽の録音／再生機能が選択された場合、上記無線通信機能を停止するかどうかを判断する手段と、上記判断結果をもとに、上記無線通信機能を有効にしたり、あるいは停止する制御手段とを備えることで、端末からの送信電波が影響したり、あるいは、送信動作が有効となって電源電圧が変動して、音楽の録音／再生時にノイズが回り込むといった障害の発生を防止でき、端末が音響機器としての性能をも発揮することができる。
【００５７】
また、他の発明に係る制御方法によれば、無線通信機能と音楽の録音／再生機能を有する携帯無線通信端末における制御方法であって、上記音楽の録音／再生機能が選択されたか否かを判定するステップと、上記音楽の録音／再生機能が選択された場合、上記無線通信機能を停止するかどうかを判断するステップと、上記判断結果をもとに、上記無線通信機能を有効にしたり、あるいは停止する制御を行うステップとを備えることで、送信動作が有効なときに、端末自身の送信電力によって録音／再生時にノイズが回り込んだり、端末内の電源電圧が変動して、録音／再生機能に影響を及ぼすという不具合の発生を防止できる。
【図面の簡単な説明】
【図１】  携帯端末とネットワークの一般的概念を現したディジタル・セルラ・システムの構成を示す図である。
【図２】  本発明の実施の形態に係る携帯電話機の構成を示すブロック図である。
【図３】  実施の形態に係る携帯電話機における処理手順を示すフローチャートである。
【図４】  パワーランプ・タイミングを示す図である。
【符号の説明】
１０１，１０２…携帯電話基地局、１０３，１０４…携帯電話機、１０５，１０７…空間媒体（Air Interface）、１０６…ディジタル・インタフェース、１０８…ＰＳＴＮ（公衆電話回線）局、１０９…サービス・プロバイダ、２０２…アンテナスイッチ、２１０…コントロール・ステート・マシーン、２３０…送信ＲＦ部、２３１…受信ＲＦ部、２２１…フラッシュＲＯＭ、２２４…中央処理装置（ＣＰＵ）、２２５…ＣＰＵバス、２２６…リアルタイム・クロック（ＲＴＣ）、２２７…ディジタル信号処理部（ＤＳＰ）
【図１】
0004206625.tif 000002
【図２】
0004206625.tif 000003
【図３】
0004206625.tif 000004
【図４】
0004206625.tif 000005